(57)【要約】【課題】本来の紹介者を確実に特定することができるようにする。【解決手段】本発明のユーザ管理装置１は、ユーザの本人識別情報を含むユーザ識別情報に関連づけて各ユーザの登録情報と、該各ユーザの開示情報とを記憶するユーザＩＤ管理ＤＢ２４を備えるとともに、特定ユーザについて前記開示情報の提供を受けようとする受給者から情報開示の要求を入力する手段と、前記特定ユーザについての前記開示情報を前記記憶手段から取り出す手段と、前記受給者がユーザとして登録を受けるための登録窓口に通信ネットワークを介してアクセスするためのアクセス情報を生成する手段と、取り出した前記開示情報とともに前記アクセス情報を前記受給者宛てに出力する手段とを含む名刺情報提供処理２１２を備えている。【選択図】　　　図１４
2004005560.tif 000002
【特許請求の範囲】
【請求項１】
ユーザの本人識別情報を含むユーザ識別情報に関連づけて各ユーザの登録情報と、該各ユーザの開示情報とを記憶する記憶手段と、
特定ユーザについて前記開示情報の提供を受けようとする受給者から情報開示の要求を入力する手段と、
前記特定ユーザについての前記開示情報を前記記憶手段から取り出す手段と、
前記受給者がユーザとして登録を受けるための登録窓口に通信ネットワークを介してアクセスするためのアクセス情報を生成する手段と、
取り出した前記開示情報とともに前記アクセス情報を前記受給者宛てに出力する手段とを備え、
前記アクセス情報は、前記特定ユーザの前記本人識別情報又は前記ユーザ識別情報に関連づけられたユーザ管理装置。
【請求項２】
前記ユーザ識別情報は、前記ユーザの本人識別情報に加え、該ユーザを紹介した紹介者の紹介者識別情報を含んでいる請求項１記載のユーザ管理装置。
【請求項３】
ユーザの本人識別情報を含むユーザ識別情報に関連づけて各ユーザの登録情報と、該各ユーザの開示情報とを記憶する記憶手段を使用し、
特定ユーザについて前記開示情報の提供を受けようとする受給者から情報開示の要求を入力するステップと、
前記特定ユーザについての前記開示情報を前記記憶手段から取り出すステップと、
前記受給者がユーザとして登録を受けるための登録窓口に通信ネットワークを介してアクセスするためのアクセス情報を生成するステップと、
取り出した前記開示情報とともに前記アクセス情報を前記受給者宛てに出力するステップとを備え、
前記アクセス情報は、前記特定ユーザの前記本人識別情報又は前記ユーザ識別情報に関連づけられたユーザ管理プログラム。
【請求項４】
前記ユーザ識別情報は、前記ユーザの本人識別情報に加え、該ユーザを紹介した紹介者の紹介者識別情報を含んでいる請求項３記載のユーザ管理プログラム。
【請求項５】
請求項３又は４に記載のユーザ管理プログラムが記録されたコンピュータ読み取り可能な記録媒体。
【発明の詳細な説明】
【０００１】
【発明の属する技術分野】
本発明は、ユーザの紹介によってユーザ登録や商取引を促進するユーザ管理装置、ユーザ管理プログラム、及び該プログラムを記録したコンピュータ読み取り可能な記録媒体に関するものである。
【０００２】
【従来の技術】
従来、紹介者を介しての入会、商品購入、又はサービス利用があったときに、該紹介者に謝礼を提供する商取引促進方法がある。
【０００３】
【発明が解決しようとする課題】
しかし、入会、商品購入、又はサービス利用の申込み時に、被紹介者自身が紹介者を特定する情報（氏名、住所等）を書類に記入したり、インターネットのＷｅｂページの入力フォームに入力したりするようにしているので、本来の紹介者とは異なる者が指定されることがあるという問題がある。
【０００４】
本発明の目的は、上記課題を解決し、ユーザの本来の紹介者を確実に特定することができるユーザ管理装置、ユーザ管理プログラム、及び該プログラムを記録したコンピュータ読み取り可能な記録媒体を提供することにある。
【０００５】
【課題を解決するための手段】
上記目的を達成するために、本発明のユーザ管理装置は、ユーザ本人固有の本人識別情報と、該ユーザを紹介した紹介者本人固有の紹介者識別情報とを含むユーザ識別情報に関連づけて各ユーザの登録情報を記憶する記憶手段と、紹介者が自己の前記ユーザ識別情報とともに被紹介者の紹介情報を入力する手段と、前記被紹介者が登録を受けるための登録窓口に通信ネットワークを介してアクセスするためのアクセス情報を生成する手段と、前記アクセス情報を含んだ、前記被紹介者への登録案内情報を出力する手段とを備え、前記アクセス情報は、前記紹介者の前記本人識別情報又は前記ユーザ識別情報に関連づけられている。
【０００６】
このように前記被紹介者が登録を受ける前記登録窓口にアクセスするための前記アクセス情報は、前記紹介者であるユーザ本人固有の前記本人識別情報又はそれを含む前記ユーザ識別情報に関連づけられているので、後で被紹介者が前記登録窓口に前記アクセス情報を使用してアクセスし、ユーザ登録のためのユーザ登録情報を入力したときに、その紹介者を確実に特定することができるようにしている。
【０００７】
また、本発明のユーザ管理装置は、ユーザの本人識別情報を含むユーザ識別情報に関連づけて各ユーザの登録情報を記憶する記憶手段と、紹介者が自己の前記ユーザ識別情報とともに被紹介者の紹介情報を入力する手段と、前記被紹介者が登録を受けるための登録窓口に通信ネットワークを介してアクセスするためのアクセス情報を生成する手段と、前記アクセス情報を含んだ、前記被紹介者への登録案内情報を出力する手段とを備え、前記アクセス情報は、前記紹介者の前記本人識別情報又は前記ユーザ識別情報に関連づけられている。
【０００８】
前記ユーザ識別情報は、前記ユーザの本人識別情報に加え、該ユーザを紹介した紹介者の紹介者識別情報を含んでいる態様を例示する。
【０００９】
このように前記被紹介者が登録を受ける前記登録窓口にアクセスするための前記アクセス情報は、前記紹介者であるユーザの前記本人識別情報又はそれを含む前記ユーザ識別情報に関連づけられているので、後で被紹介者が前記登録窓口に前記アクセス情報を使用してアクセスし、ユーザ登録のためのユーザ登録情報を入力したときに、その紹介者を確実に特定することができるようにしている。
【００１０】
前記登録窓口において、前記被紹介者が自己のユーザ登録のためのユーザ登録情報を入力する手段と、該ユーザ登録情報が入力されると、該被紹介者の本人識別情報を生成する手段と、該被紹介者の本人識別情報に加え、前記紹介者識別情報としての前記紹介者の前記本人識別情報を含むユーザ識別情報を生成する手段とを備えた態様を例示する。
【００１１】
このように被紹介者が前記登録窓口に前記アクセス情報を使用してアクセスし、ユーザ登録のためのユーザ登録情報を入力すると、その紹介者を特定し、該紹介者の本人識別情報を該被紹介者のユーザ識別情報に含めるようにしている。これにより、被紹介者のユーザ識別情報により、その紹介者を特定できるようにしている。
【００１２】
前記ユーザ登録情報が入力されると、前記紹介者の本人識別情報によって特定される紹介者へ謝礼を提供するための謝礼提供情報を出力する手段を備えた態様を例示する。
【００１３】
このように被紹介者がユーザ登録すると、前記紹介者の本人識別情報により、実際の紹介者に確実に謝礼を提供することができるようにしている。
【００１４】
前記入力する手段は、被紹介者自身による自己紹介であるときは、該被紹介者が自己の紹介情報を入力するように構成され、前記アクセス情報は、前記紹介者の前記本人識別情報又は前記ユーザ識別情報に代えて、自己紹介であることを示す情報に関連づけられた態様を例示する。
【００１５】
このように紹介者がいないときでも、被紹介者自身による自己紹介によってユーザ登録を受けることができるようにしている。
【００１６】
また、本発明のユーザ管理装置は、ユーザ本人固有の本人識別情報と、該ユーザを紹介した紹介者本人固有の紹介者識別情報とを含むユーザ識別情報に関連づけて各ユーザの登録情報を記憶する記憶手段と、ユーザが商取引に際して自己の前記ユーザ識別情報を入力する手段と、該ユーザ識別情報に含まれる前記紹介者識別情報によって特定される紹介者へ謝礼を提供するための謝礼提供情報を出力する手段とを備えている。
【００１７】
また、本発明のユーザ管理装置は、ユーザの本人識別情報と、該ユーザを紹介した紹介者の紹介者識別情報とを含むユーザ識別情報に関連づけて各ユーザの登録情報を記憶する記憶手段と、ユーザが商取引に際して自己の前記ユーザ識別情報を入力する手段と、該ユーザ識別情報に含まれる前記紹介者識別情報によって特定される紹介者へ謝礼を提供するための謝礼提供情報を出力する手段とを備えている。
【００１８】
このようにユーザが商取引をすると、前記ユーザ識別情報に含まれる前記紹介者識別情報により、該ユーザの紹介者に確実に謝礼を提供することができるようにしている。
【００１９】
また、本発明のユーザ管理装置は、ユーザの本人識別情報を含むユーザ識別情報に関連づけて各ユーザの登録情報と、該各ユーザの開示情報とを記憶する記憶手段と、特定ユーザについて前記開示情報の提供を受けようとする受給者から情報開示の要求を入力する手段と、前記特定ユーザについての前記開示情報を前記記憶手段から取り出す手段と、前記受給者がユーザとして登録を受けるための登録窓口に通信ネットワークを介してアクセスするためのアクセス情報を生成する手段と、取り出した前記開示情報とともに前記アクセス情報を前記受給者宛てに出力する手段とを備え、前記アクセス情報は、前記特定ユーザの前記本人識別情報又は前記ユーザ識別情報に関連づけられている。
【００２０】
前記ユーザ識別情報は、前記ユーザの本人識別情報に加え、該ユーザを紹介した紹介者の紹介者識別情報を含んでいる態様を例示する。
【００２１】
このように前記受給者に対し、前記特定ユーザの前記開示情報とともに前記アクセス情報を提供するように構成しているので、該受給者がユーザとして登録を受けることに興味を持つと、該アクセス情報を利用して簡単に前記登録窓口へたどり着くことができる。これによりスムーズにユーザを獲得することができるようにしている。また、前記受給者が登録を受ける前記登録窓口にアクセスするための前記アクセス情報は、間接的な紹介者である特定ユーザの前記本人識別情報又はそれを含む前記ユーザ識別情報に関連づけられているので、後で受給者が前記登録窓口に前記アクセス情報を使用してアクセスし、ユーザ登録をしたときに、その紹介者を確実に特定することができるようにしている。
【００２２】
また、本発明のユーザ管理プログラムは、ユーザ本人固有の本人識別情報と、該ユーザを紹介した紹介者本人固有の紹介者識別情報とを含むユーザ識別情報に関連づけて各ユーザの登録情報を記憶する記憶手段を使用し、紹介者が自己の前記ユーザ識別情報とともに被紹介者の紹介情報を入力するステップと、前記被紹介者が登録を受けるための登録窓口に通信ネットワークを介してアクセスするためのアクセス情報を生成するステップと、前記アクセス情報を含んだ、前記被紹介者への登録案内情報を出力するステップとを備え、前記アクセス情報は、前記紹介者の前記本人識別情報又は前記ユーザ識別情報に関連づけられている。
【００２３】
また、本発明のユーザ管理プログラムは、ユーザの本人識別情報を含むユーザ識別情報に関連づけて各ユーザの登録情報を記憶する記憶手段を使用し、紹介者が自己の前記ユーザ識別情報とともに被紹介者の紹介情報を入力するステップと、前記被紹介者が登録を受けるための登録窓口に通信ネットワークを介してアクセスするためのアクセス情報を生成するステップと、前記アクセス情報を含んだ、前記被紹介者への登録案内情報を出力するステップとを備え、前記アクセス情報は、前記紹介者の前記本人識別情報又は前記ユーザ識別情報に関連づけられている。
【００２４】
前記ユーザ識別情報は、前記ユーザの本人識別情報に加え、該ユーザを紹介した紹介者の紹介者識別情報を含んでいる態様を例示する。
【００２５】
前記登録窓口において、前記被紹介者が自己のユーザ登録のためのユーザ登録情報を入力するステップと、該ユーザ登録情報が入力されると、該被紹介者の本人識別情報を生成するステップと、該被紹介者の本人識別情報に加え、前記紹介者識別情報としての前記紹介者の前記本人識別情報を含むユーザ識別情報を生成するステップとを備えた態様を例示する。
【００２６】
前記ユーザ登録情報が入力されると、前記紹介者の本人識別情報によって特定される紹介者へ謝礼を提供するための謝礼提供情報を出力するステップを備えた態様を例示する。
【００２７】
前記入力するステップは、被紹介者自身による自己紹介であるときは、該被紹介者が自己の紹介情報を入力するように構成され、前記アクセス情報は、前記紹介者の前記本人識別情報又は前記ユーザ識別情報に代えて、自己紹介であることを示す情報に関連づけられた態様を例示する。
【００２８】
また、本発明のユーザ管理プログラムは、ユーザ本人固有の本人識別情報と、該ユーザを紹介した紹介者本人固有の紹介者識別情報とを含むユーザ識別情報に関連づけて各ユーザの登録情報を記憶する記憶手段を使用し、ユーザが商取引に際して自己の前記ユーザ識別情報を入力するステップと、該ユーザ識別情報に含まれる前記紹介者識別情報によって特定される紹介者へ謝礼を提供するための謝礼提供情報を出力するステップとを備えている。
【００２９】
また、本発明のユーザ管理プログラムは、ユーザの本人識別情報と、該ユーザを紹介した紹介者の紹介者識別情報とを含むユーザ識別情報に関連づけて各ユーザの登録情報を記憶する記憶手段を使用し、ユーザが商取引に際して自己の前記ユーザ識別情報を入力するステップと、該ユーザ識別情報に含まれる前記紹介者識別情報によって特定される紹介者へ謝礼を提供するための謝礼提供情報を出力するステップとを備えている。
【００３０】
また、本発明のユーザ管理プログラムは、ユーザの本人識別情報を含むユーザ識別情報に関連づけて各ユーザの登録情報と、該各ユーザの開示情報とを記憶する記憶手段を使用し、特定ユーザについて前記開示情報の提供を受けようとする受給者から情報開示の要求を入力するステップと、前記特定ユーザについての前記開示情報を前記記憶手段から取り出すステップと、前記受給者がユーザとして登録を受けるための登録窓口に通信ネットワークを介してアクセスするためのアクセス情報を生成するステップと、取り出した前記開示情報とともに前記アクセス情報を前記受給者宛てに出力するステップとを備え、前記アクセス情報は、前記特定ユーザの前記本人識別情報又は前記ユーザ識別情報に関連づけられている。
【００３１】
前記ユーザ識別情報は、前記ユーザの本人識別情報に加え、該ユーザを紹介した紹介者の紹介者識別情報を含んでいる態様を例示する。
【００３２】
また、本発明のコンピュータ読み取り可能な記録媒体は、前記いずれかのユーザ管理プログラムが記録されている。
【００３３】
前記ユーザ管理プログラムや、該プログラムを記録したコンピュータ読み取り可能な記録媒体を利用することによっても、前記ユーザ管理装置と同様な効果を得ることができる。
【００３４】
以上において、前記ユーザ登録とは、特に限定されないが、ユーザ、会員、紹介者等として登録することを例示する。
【００３５】
前記本人識別情報、前記紹介者識別情報、及び前記ユーザ識別情報としては、特に限定されないが、前記ユーザや前記紹介者を識別することができる文字、記号、図形、又はこれらの結合からなる態様を例示する。
【００３６】
また、前記登録情報としては、特に限定されないが、ユーザの氏名、名称、連絡先、勤務先、性別、生年月日、運転免許証や保険証の番号等のユーザを特定することができる情報を例示する。前記連絡先とは、ユーザの住所、居所、電子メールアドレス、電話番号等を例示する。
【００３７】
また、前記紹介情報としては、特に限定されないが、被紹介者の氏名、名称、連絡先、勤務先、性別、生年月日、運転免許証や保険証の番号等の被紹介者を特定することができる情報を例示する。前記連絡先とは、被紹介者の住所、居所、電子メールアドレス、電話番号等を例示する。
【００３８】
前記通信ネットワークとしては、特に限定されないが、インターネット、パソコン通信ネットワーク、プライベート通信ネットワーク等を例示する。
【００３９】
前記登録窓口とは、特に限定されないが、前記通信ネットワーク上に存在するユーザ登録用のサーバ装置や、サーバ装置のユーザ登録手段等を例示する。
【００４０】
前記アクセス情報とは、特に限定されないが、前記通信ネットワーク上に存在する情報資源（文書や画像など）の場所を指し示す情報をいい、具体的には、インターネットのＵＲＬ（Ｕｎｉｆｏｒｍ　Ｒｅｓｏｕｒｃｅ　Ｌｏｃａｔｏｒ）のように、情報の種類、サーバ名、ポート番号、フォルダ名、ファイル名等で構成された態様を例示する。
【００４１】
また、前記登録案内情報としては、特に限定されないが、被紹介者にユーザ登録するように案内、促進、勧誘等する情報を例示する。
【００４２】
前記入力する態様としては、特に限定されないが、キーボード、マウス、又はタブレット等の入力装置を介して入力する態様や、通信ネットワークを介して受信したものを入力する態様等を例示する。
【００４３】
前記出力する態様としては、特に限定されないが、電子メールで送信出力する態様、郵便用の手紙や宛名等を印刷出力する態様、コンピュータ読み取り可能な記録媒体に出力する態様、Ｗｅｂブラウザ手段で参照可能にＷｅｂページを出力する態様等を例示する。
【００４４】
「前記アクセス情報は、前記紹介者の前記本人識別情報又は該紹介者の前記ユーザ識別情報に関連づけられている」とは、特に限定されないが、前記アクセス情報に前記紹介者の前記本人識別情報又は該紹介者の前記ユーザ識別情報が直接的に含められることにより関連づけられた態様や、何らかの媒介情報を介して間接的に関連づけられた態様を例示する。
【００４５】
「自己紹介であることを示す情報に関連づけられた」とは、特に限定されないが、自己紹介であることを示す特定の識別情報に関連づけられた態様を例示する。
【００４６】
前記商取引としては、特に限定されないが、商品の購入、サービスの利用等を例示する。
【００４７】
前記開示情報としては、ユーザに関して開示される情報であれば特に限定されない（ユーザ自身が開示するものの他に、他人により開示されるものも含む）が、前記登録情報や名刺情報（ユーザの氏名、勤務先、勤務先の所属部署、勤務先の役職、勤務先の連絡先、勤務先の広告、自宅の連絡先）等のユーザ自身に関する情報、ユーザが紹介しようとする商品又はサービス（勤務先の営業対象や、オークションの出品対象等）の情報、ユーザの評価、ユーザの信用情報等を例示する。
【００４８】
【発明の実施の形態】
図１〜図９は本発明の第一実施形態のユーザ管理装置１、ユーザ管理プログラム、及び該プログラムを記録したコンピュータ読み取り可能な記録媒体を示している。このユーザ管理装置１は、ユーザ識別情報としてのユーザＩＤ８（Ｉｄｅｎｔｉｆｉｃａｔｉｏｎ）により識別されるユーザの紹介によって新規ユーザの登録を促進するものであり、本例では通信ネットワークとしてのインターネット６を介して作動するＷｅｂサーバ装置として構成されており、図１に示すようにインターネット６を介して紹介者の紹介者端末２と、被紹介者の被紹介者端末３とからそれぞれ接続可能に構成されている。
【００４９】
図２は、本発明に使用されるユーザＩＤ８の構成を示しており、該ユーザＩＤ８は、ユーザ本人固有の本人識別情報としての本人ＩＤ８ａと、該ユーザを紹介した紹介者本人固有の紹介者識別情報としての紹介者ＩＤ８ｂとを含んでいる。各ＩＤは、本例では、英数字及び記号で構成されている。本人ＩＤ８ａについては、既に登録されている他人の本人ＩＤ８ａと重複しない限り、本人の希望する英数字及び記号の組合せとすることもできる。本人ＩＤ８ａと紹介者ＩＤ８ｂとの配列の仕方としては、特に限定されず、紹介者ＩＤ８ｂを先頭にしたり、本人ＩＤ８ａと紹介者ＩＤ８ｂとを１文字ずつ交互に配列したりすることを例示する。また、紹介者ＩＤ８ｂを別のユーザのＩＤに変更可能に構成することもできるが、その場合は、例えば、紹介者本人とユーザ管理装置１の管理者のみが変更可能にすることが好ましい。
【００５０】
図３は、紹介者及び被紹介者が使用する情報端末としての紹介者端末２及び被紹介者端末３の構成を示している。この端末２，３としては、インターネット６接続可能な端末であれば特に限定されないが、ＰＣ（Ｐｅｒｓｏｎａｌ　Ｃｏｍｐｕｔｅｒ）、ＰＤＡ（Ｐｅｒｓｏｎａｌ　Ｄｉｇｉｔａｌ　Ａｓｓｉｓｔａｎｃｅ）、携帯電話等を例示する。紹介者端末２（又は被紹介者端末３）は、端末全体の動作を制御する端末本体１１と、ガイドメッセージや端末本体１１の処理経過等を表示する表示部１２と、該端末本体１１に対する操作指示やデータを入力するための入力部１３と、インターネット６に接続するための通信部１４とを備えている。そして、端末本体１１はインターネット６を介してユーザ管理装置１との間で相互に情報をやり取りするためのＷｅｂブラウザ手段１５と、ユーザ管理装置１からの通知を電子メールで受信するためのメール手段１６とを備えている。
【００５１】
表示部１２は、例えば、液晶ディスプレイ装置、ブラウン管ディスプレイ装置等からなっている。この表示部１２には、ユーザ管理装置１の処理を選択するためのメニューや、データを入力するための入力画面等が表示される。以下、特に断らない限り、「表示」というときは、表示部１２に表示することをいう。
【００５２】
入力部１３は、例えば、キーボード、テンキー等のキー入力装置や、マウス、トラックボール等のポインティング装置からなっている。この入力部１３により、ユーザ管理装置１へ送信する指示やデータ等を入力する。以下、特に断らない限り、「入力」又は「指定」というときは、入力部１３により入力又は指定することをいう。
【００５３】
図４は、ユーザ管理装置１を示している。このユーザ管理装置１は、該装置全体の動作を制御する装置本体１７と、プログラムやデータを記憶する記憶部１８と、ガイドメッセージや装置本体１７の処理経過等を表示する表示部１２と、該装置に対する操作指示やデータを入力するための入力部１３と、インターネット６に接続するための通信部１４とを備えている。
【００５４】
装置本体１７は、ＣＰＵ（中央処理装置）、ＲＯＭ（読取り専用記憶装置）、ＲＡＭ（読取り書込み記憶装置）等（いずれも図示略）が互いにバスを介して接続されてなる公知の構成を備えたコンピュータである。装置本体１７は、記憶部１８に記憶されたプログラムやデータを前記ＲＡＭに読み込むとともに、それらの内容に従ってユーザ管理装置１全体を制御する。
【００５５】
記憶部１８は、例えば、ハードディスク装置、リムーバルディスク装置（フレキシブルディスク、光磁気ディスク、ＣＤ−ＲＯＭ、ＣＤ−Ｒ、ＣＤ−ＲＷ等のリムーバルな記録媒体の読書装置）、メモリーカード等の記憶装置からなっている。このハードディスク装置や、リムーバルな記録媒体には、後述する紹介受付処理２０、自己紹介受付処理２１、登録受付処理２２、謝礼提供処理２３を含むユーザ管理プログラムと、ユーザＩＤ管理ＤＢ３０（本書において「データベース」を「ＤＢ」と略す。）が記録されるようになっている。このハードディスク装置や、リムーバルな記録媒体がユーザ管理プログラムを記録したコンピュータ読み取り可能な記録媒体である。
【００５６】
ユーザＩＤ管理ＤＢ３０は、ユーザＩＤ８に関連づけて各ユーザの登録情報を記憶する記憶手段であり、各ユーザについて、該ユーザを他のユーザから識別するためのユーザＩＤ８、該ユーザＩＤ８についてのパスワード、氏名、連絡先住所、連絡先電話番号、連絡先電子メールアドレス、紹介料の振り込み先の金融機関口座等のユーザ登録情報を含むレコードの集合からなっている。
【００５７】
次に、ユーザ管理プログラムについて説明する。なお、以下において、「Ｘ」を端末（紹介者端末２又は被紹介者端末３）から入力する、というときは、ユーザ管理装置１から「Ｘ」の入力を促すためのガイド表示情報を端末に送信し、端末にガイド表示させることによって入力を促すとともに、該ガイド表示に基づいて端末に入力された「Ｘ」をインターネット６を介して端末から受信することによりユーザ管理装置１に入力することをいう。また、「Ｘ」を端末に表示させる、というときは、ユーザ管理装置１から「Ｘ」を端末に送信し、該端末に表示させることをいう。
【００５８】
紹介受付処理２０は、ユーザから被紹介者の情報を受け付ける処理であり、紹介者が紹介者端末２をによりユーザ管理装置１に接続し、紹介用のＷｅｂページを開くと実行されるようになっている。図５のフローチャートに示すように、この紹介受付処理２０では、まず、紹介者のユーザＩＤ８及びパスワードを紹介者端末２から入力する（ステップＳ１０１）。次いで、ユーザＩＤ管理ＤＢ３０の中から紹介者が入力したユーザＩＤ８を含むレコードを検索する（ステップＳ１０２）。検索結果をチェックし（ステップＳ１０３）、該ユーザＩＤ８を含むレコードが見つからなかったときは本処理を終了する（ステップＳ１１１）。該レコードが見つかったときは、紹介者が入力したパスワードとを照合し（ステップＳ１０４）、一致していなければ本処理を終了する（ステップＳ１１１）。これが一致していれば、被紹介者の紹介情報（被紹介者の氏名、連絡先電子メールアドレス等）を紹介者端末２から入力する（ステップＳ１０５）。次いで、被紹介者が登録を受けるための登録窓口（本例では、本ユーザ管理装置１の登録受付処理２２）にインターネット６を介してアクセスするための後述するアクセス情報を生成する（ステップＳ１０６）。次いで、被紹介者への紹介方法の指定を紹介者端末２から入力する（ステップＳ１０７）。入力した案内方法をチェックし（ステップＳ１０８）、「自動案内」が指定されたときは、被紹介者へ登録案内情報及びアクセス情報を紹介情報に含まれる連絡先電子メールアドレス宛に直接電子メールで発行し（ステップＳ１０９）、「紹介者による案内」が指定されたときは、紹介者へ登録案内情報及びアクセス情報を発行する（ステップＳ１１０）。そして、本処理を終了する（ステップＳ１１１）。なお、ステップＳ１１０における紹介者による紹介の場合は、後で、紹介者が被紹介者に電子メールで送信したり、用紙に印刷又は記録媒体に記録して郵送したり、手渡したりする。
【００５９】
ここで、アクセス情報としては、特に限定されないが、本例では、紹介者の本人ＩＤ８ａやユーザＩＤ８に関連づけられたＵＲＬとしている。例えば、紹介者の本人ＩＤ８ａやユーザＩＤ８がデータとして含まれたＵＲＬとすること（例えば、「ｈｔｔｐ：／／ｗｗｗ．ａａａａａ．ｃｏ．ｊｐ／ｒｅｇｉｓｔｅｒ．ｃｇｉ？ＩＤ＝●●●」とする。ここで、「●●●」は紹介者の本人ＩＤ８ａやユーザＩＤ８を示す（以下も同様）。）や、紹介者の本人ＩＤ８ａやユーザＩＤ８が一部に含まれるＵＲＬとすること（例えば、「ｈｔｔｐ：／／ｗｗｗ．ａａａａａ．ｃｏ．ｊｐ／●●●／ｒｅｇｉｓｔｅｒ．ｈｔｍ」とする。）が挙げられる。本例では、前者を採用し、具体的には、アクセス情報を紹介者の本人ＩＤ８ａがデータとして含まれたＵＲＬとしているものとする。以上に例示したように、ユーザＩＤ８を直接ＵＲＬのデータやＵＲＬの一部に含めるのではなく、何らかの媒介情報を介して間接的に関連づけるようにすることもできる。
【００６０】
また、アクセス情報及び登録案内情報を含む電子メールとしては、特に限定されないが、例えば件名を「Ａさんの紹介による○○サイトのご案内です」等として、Ａさんからの紹介であることを明記することにより、一方的に送りつけられる迷惑メールとの差別化を図り、被紹介者がＡの知り合いである場合には、メールに対する抵抗感を少なくすることで、被紹介者にメール内容を見てもらえる可能性を大きくすることができる。また、登録案内情報には、アクセス情報としてのＵＲＬにより接続し、被紹介者がユーザ登録した場合には、被紹介者へ料金の割引等の特典を用意していることを明記することにより、被紹介者のメリットを保証することで、紹介者とユーザ管理装置１の運営者との利益関係に対する被紹介者の抵抗感や迷惑感を少なくすることができる。
【００６１】
自己紹介受付処理２１は、被紹介者本人からの自己紹介を受け付ける処理であり、被紹介者が被紹介者端末３をによりユーザ管理装置１に接続し、自己紹介用のＷｅｂページを開くと実行されるようになっている。図６のフローチャートに示すように、この自己紹介受付処理２１では、まず、自己紹介によるユーザ登録を希望する被紹介者が自己の紹介情報を被紹介者端末３から入力する（ステップＳ１２１）。次いで、被紹介者が登録を受けるための登録窓口（本例では、本ユーザ管理装置１の登録受付処理２２）にインターネット６を介してアクセスするための前記アクセス情報を生成する（ステップＳ１２２）。次いで、被紹介者へ登録案内情報及びアクセス情報を被紹介者宛に電子メールで発行し（ステップＳ１２３）、処理を終了する（ステップＳ１２４）。なお、紹介者がいないため、ステップＳ１２２では、アクセス情報に紹介者の本人ＩＤ８ａやユーザＩＤ８を関連づけることができないので、自己紹介であることを示す所定のＩＤ（本人ＩＤ８ａやユーザＩＤ８と同じ形式を採用）に関連づけるようにする。これは、ユーザ管理装置１が紹介者になっていると解することもできる。また、ステップＳ１２３において、電子メールで発行することに代えて、又は電子メールで発行するとともに、被紹介者端末３に登録案内情報及びアクセス情報を表示するようにすることもできる。
【００６２】
登録受付処理２２は、アクセス情報としてのＵＲＬによりアクセスしてきた被紹介者からのユーザ登録を受け付ける処理であり、該ＵＲＬによりアクセスされると実行されるようになっている。このＵＲＬにはデータとして紹介者の本人ＩＤ８ａが含まれているので、これによって紹介者を特定することができる。図７のフローチャートに示すように、この登録受付処理２２では、まず、被紹介者端末３からユーザ登録情報を入力する（ステップＳ１４１）。次いで、被紹介者の本人ＩＤ８ａを生成する（ステップＳ１４２）とともに、該本人ＩＤ８ａに加え、紹介者の本人ＩＤ８ａ（自己紹介であるときは、所定のＩＤ）を含むユーザＩＤ８を生成する（ステップＳ１４３）。次いで、ユーザＩＤ８を被紹介者に発行するとともに、該ユーザＩＤ８についてユーザ登録情報をユーザＩＤ管理ＤＢ３０に記憶させる（ステップＳ１４４）。次いで、紹介者をチェックし（ステップＳ１４５）、自己紹介であるときは本処理を終了する（ステップＳ１４８）。自己紹介でないときは、紹介者の本人ＩＤ８ａによって特定される紹介者へ謝礼としての紹介料を振り込むように指示する謝礼提供情報としての振り込み指示を決済装置（図示略）宛てに出力するとともに（ステップＳ１４６）、その旨の情報が記録された電子メールを紹介者の連絡先電子メールアドレス宛に送信し（ステップＳ１４７）、本処理を終了する（ステップＳ１４８）。
【００６３】
謝礼提供処理２３は、ユーザが所定の商取引を行ったときに、該ユーザの紹介者に謝礼を提供する処理であり、ユーザが所定の商取引を行ったことを示す所定の通知を受信すると実行されるようになっている。図８のフローチャートに示すように、この謝礼提供処理２３は、ユーザが所定の商取引を行った旨の提携商取引装置等からの通知を受けると実行され、まず、該通知に含まれるユーザＩＤ８及び商取引情報を入力する（ステップＳ１６１）。次いで、ユーザＩＤ管理ＤＢ３０の中から通知されたユーザＩＤ８を含むレコードを検索する（ステップＳ１６２）。検索結果をチェックし（ステップＳ１６３）、該ユーザＩＤ８を含むレコードが見つからなかったときは本処理を終了する（ステップＳ１６８）。該レコードが見つかったときは、商取引情報が謝礼の対象となる所定の商取引についての情報であるかをチェックし（ステップＳ１６４）、所定の商取引でないときは、本処理を終了する（ステップＳ１６８）。所定の商取引であるときは、ユーザＩＤ８に含まれる紹介者ＩＤ８ｂをチェックし（ステップＳ１６５）、自己紹介であるときは本処理を終了する（ステップＳ１６８）。自己紹介でないときは、紹介者の本人ＩＤ８ａによって特定される紹介者へ謝礼としての紹介料を振り込むように指示する謝礼提供情報としての振り込み指示を決済装置（図示略）宛てに出力するとともに（ステップＳ１６６）、その旨の情報が記録された電子メールを紹介者の連絡先電子メールアドレス宛に送信し（ステップＳ１６７）、本処理を終了する（ステップＳ１６８）。
【００６４】
次に、以上のように構成されたユーザ管理装置１の一連の動作例について図９〜図１２を参照しながら、具体的に説明する。まず、第一の動作例は、ユーザ登録の案内をユーザ管理装置１により自動的に被紹介者へ発行する場合の例である（図９参照）。まず、紹介者が紹介者端末２によりユーザ管理装置１に接続し、紹介用のＷｅｂページを開くと（Ａ１０１）、ユーザ管理装置１は、紹介受付処理２０を実行し、紹介者端末２から紹介者のユーザＩＤ８及びパスワードを入力し（Ａ１０２）、紹介情報を入力し（Ａ１０３）、さらに、案内方法の指定を入力する（Ａ１０４）。本例では案内方法として自動案内が指定されたものとすると、ユーザ管理装置１は、紹介情報に含まれる被紹介者の連絡先電子メールアドレス宛てにアクセス情報及び登録案内情報を含む電子メールを送信し（Ａ１０５）、紹介受付処理２０を終了する。被紹介者は、被紹介者端末３でこの電子メールを受信し、該アクセス情報によりユーザ管理装置１にアクセスする（Ａ１０６）。すると、ユーザ管理装置１は、登録受付処理２２を実行し、被紹介者端末３からユーザ登録情報を入力し（Ａ１０７）、被紹介者の連絡先電子メールアドレス宛にユーザＩＤ８を含む電子メールを送信する（Ａ１０８）。そして、ユーザ管理装置１は、紹介料を振り込むための振り込み指示を決済装置（図示略）宛てに出力するとともに、その旨の情報が記録された電子メールを紹介者の連絡先電子メールアドレス宛に送信し（Ａ１０９）、登録受付処理２２を終了する。
【００６５】
第二の動作例は、ユーザ登録の案内を紹介者が被紹介者へ発行する場合の例である（図１０参照）。Ａ１０１〜Ａ１０３までは、第一の動作例と同様であるが、本例では、案内方法の指定を入力すると（Ａ１０４ａ）、紹介者が案内する旨が指定されたものとする。すると、ユーザ管理装置１は、紹介者の連絡先電子メールアドレス宛てにアクセス情報及び登録案内情報を含む電子メールを送信する（Ａ１０５ａ）。そして、紹介者が、被紹介者の連絡先電子メールアドレス宛てにアクセス情報及び登録案内情報を含む電子メールを送信する（Ａ１０５ｂ）。その後のＡ１０６以降は、第一の動作例と同様である。
【００６６】
第三の動作例は、自己紹介によりユーザ登録の案内を被紹介者へ発行する場合の例である（図１１参照）。まず、被紹介者が被紹介者端末３によりユーザ管理装置１に接続し、自己紹介用のＷｅｂページを開くと（Ａ２０１）、ユーザ管理装置１は、自己紹介受付処理２１を実行し、被紹介者端末３から紹介情報を入力する（Ａ２０２）。ユーザ管理装置１は、紹介情報に含まれる被紹介者の連絡先電子メールアドレス宛てにアクセス情報及び登録案内情報を含む電子メールを送信し（Ａ２０３）、自己紹介受付処理２１を終了する。被紹介者は、被紹介者端末３でこの電子メールを受信し、該アクセス情報によりユーザ管理装置１にアクセスする（Ａ２０４）。すると、ユーザ管理装置１は、登録受付処理２２を実行し、被紹介者端末３からユーザ登録情報を入力し（Ａ２０５）、被紹介者の連絡先電子メールアドレス宛にユーザＩＤ８を含む電子メールを送信し（Ａ２０６）、登録受付処理２２を終了する。
【００６７】
第四の動作例は、被紹介者としてのユーザが商取引をする場合の例である（図１２参照）。まず、被紹介者がユーザ管理装置１と連携する所定の商取引装置４に接続し（Ａ３０１）、ユーザＩＤ８を入力して（Ａ３０２）、商取引を行うと（Ａ３０３）、商取引装置４は、ユーザＩＤ８及びその商取引情報をユーザ管理装置１に通知する（Ａ３０４）。すると、ユーザ管理装置１は、謝礼提供処理２３を実行し、紹介料を振り込むための振り込み指示を決済装置（図示略）宛てに出力するとともに、その旨の情報が記録された電子メールを紹介者の連絡先電子メールアドレス宛に送信し（Ａ３０５）、謝礼提供処理２３を終了する。
【００６８】
以上のように構成された本発明によれば、被紹介者が登録を受ける登録窓口にアクセスするためのアクセス情報は、紹介者であるユーザ本人固有の本人ＩＤ８ａに関連づけられているので、後で被紹介者が前記登録窓口に前記アクセス情報を使用してアクセスし、ユーザ登録のためのユーザ登録情報を入力したときに、その紹介者を確実に特定することができる。従って、紹介者を特定する際の人為的ミスや、作為を排除することができ、これらのミスや作為に起因する人為的トラブルを排除することができる。
【００６９】
また、被紹介者自身による自己紹介であるときは、該被紹介者が自己の紹介情報を入力するように構成され、前記アクセス情報は、紹介者の本人ＩＤ８ａに代えて、自己紹介であることを示す所定のＩＤに関連づけられるように構成されているので、紹介者がいないときでもユーザ登録を受けることができる。
【００７０】
また、被紹介者が前記登録窓口に前記アクセス情報を使用してアクセスし、ユーザ登録のためのユーザ登録情報を入力すると、その紹介者を特定し、該紹介者の本人ＩＤ８ａを該被紹介者のユーザＩＤ８に含めるようにしている。これにより、被紹介者のユーザＩＤ８により、その紹介者を特定できる。
【００７１】
また、前記ユーザ登録情報が入力されると、アクセス情報に関連づけられた紹介者の本人ＩＤ８ａによって特定される紹介者へ謝礼を提供するための謝礼提供情報を出力する手段を備えているので、該被紹介者の実際の紹介者に確実に謝礼を提供することができる。
【００７２】
また、本発明は、ユーザ本人固有の本人ＩＤ８ａと、該ユーザを紹介した紹介者本人固有の紹介者ＩＤ８ｂとを含むユーザＩＤ８に関連づけて各ユーザの登録情報を記憶する記憶手段と、ユーザが商取引に際して自己のユーザＩＤ８を入力する手段と、該ユーザＩＤ８に含まれる紹介者ＩＤ８ｂによって特定される紹介者へ謝礼を提供するための謝礼提供情報を出力する手段とを備えているので、ユーザが商取引をすると、ユーザＩＤ８に含まれる紹介者ＩＤ８ｂにより、該ユーザの紹介者に確実に謝礼を提供することができる。
【００７３】
次に、図１３〜１６は本発明を具体化した第二実施形態のユーザ管理装置２０１、ユーザ管理プログラム、及び該プログラムを記録したコンピュータ読み取り可能な記録媒体を示している。本実施形態の発明は、以下の点において第一実施形態と相違している。従って、第一実施形態と共通する部分については同一符号を付することにより重複説明を省く。
【００７４】
（１）本実施形態のユーザ管理装置２０１は、図１３に示すように、通信ネットワークとしてのインターネット６を介して作動するＷｅｂサーバ装置として構成されており、第一実施形態の機能に加え、ユーザの開示情報としての名刺情報をインターネット６を介して提供する機能を備えている。そして、このユーザ管理装置２０１は、ユーザのユーザ端末２０２と、該ユーザについての名刺情報の提供を受ける受給者の受給者端末２０３とが接続されている。本例では、以下に詳述するようにユーザが間接的な紹介者となり、受給者が間接的な被紹介者となる例を示している。なお、ユーザ端末２０２及び受給者端末２０３は、それぞれ第一実施形態における紹介者端末２及び被紹介者端末３と同様に構成されている。
【００７５】
（２）ユーザ管理装置２０１の構成は、図１４に示すように記憶部１８に記録されたユーザ管理プログラムに名刺情報提供処理２１２が含まれている点が第一実施形態と相違している。
【００７６】
（３）ユーザＩＤ管理ＤＢ３０のレコードには、第一実施形態と同様の登録情報（ユーザＩＤ８、該ユーザＩＤ８についてのパスワード、氏名、自宅の住所、自宅の電話番号、連絡先電子メールアドレス、勤務先、勤務先の所属部署、勤務先の役職、勤務先の所在地、勤務先の電話番号、紹介料の振り込み先の金融機関口座等）に加え、ユーザの名刺情報を他の名刺情報から識別するための名刺ＩＤと、該名刺ＩＤについての名刺用パスワードとが含まれている。本例では、前記レコードに含まれる情報のうち、ユーザの氏名、連絡先電子メールアドレス、勤務先、勤務先の所属部署、勤務先の役職、勤務先の所在地、勤務先の電話番号が名刺情報となるものとするが、これは例示であり、どの情報を名刺情報として開示するかユーザが指定できるように構成することもできる。
【００７７】
（４）名刺情報提供処理２１２は、特定ユーザについて名刺情報の提供を受けようとする受給者に対してその名刺情報とともにアクセス情報及び登録案内情報（両者とも第一実施形態と同様）を提供する処理であり、受給者が受給者端末２０３をによりユーザ管理装置２０１に接続し、ユーザ管理装置２０１内の名刺情報提供用のＷｅｂページを開くと実行されるようになっている。図１５のフローチャートに示すように、この名刺情報提供処理２１２では、まず、受給者所望の特定ユーザの名刺情報についての名刺ＩＤ及び名刺用パスワードを受給者端末２０３から入力する（ステップＳ３０１）。次いで、ユーザＩＤ管理ＤＢ３０の中から受給者が入力した名刺ＩＤを含むレコードを検索する（ステップＳ３０２）。検索結果をチェックし（ステップＳ３０３）、該名刺ＩＤを含むレコードが見つからなかったときは本処理を終了する（ステップＳ３０９）。該レコードが見つかったときは、そのレコードに含まれる名刺用パスワードと、受給者が入力した名刺用パスワードとを照合し（ステップＳ３０４）、一致していなければ本処理を終了する（ステップＳ３０９）。これが一致していれば、名刺情報の出力方法（電子メールで受給者宛に送信出力する方法、受給者端末２０３のＷｅｂブラウザ手段１５で参照可能に名刺情報を含むＷｅｂページを出力する方法等）の指定とともに、それに必要な情報（例えば、電子メールで出力する場合であれば受給者の電子メールアドレス）を入力する（ステップＳ３０５）。次いで、見つけたレコードに含まれる名刺情報を取り出す（ステップＳ３０６）とともに、受給者がユーザとして登録を受けるための登録窓口（本例では、本ユーザ管理装置３０１の登録受付処理２２）にインターネット６を介してアクセスするためのアクセス情報を生成する（ステップＳ３０７）。次いで、指定された出力方法により、名刺情報とともに、アクセス情報及び登録案内情報を出力し（ステップＳ３０８）、本処理を終了する（ステップＳ３０９）。
【００７８】
（５）以上の構成によるユーザ管理装置２０１の一連の動作例について図１６を参照しながら、具体的に説明する。まず、ユーザ（以下、「特定ユーザ」という。）が、自己の名刺情報を提供しようとする者（以下、「受給者」という。）に対して、その名刺情報の名刺ＩＤ、名刺用パスワード、及び名刺情報提供用のＷｅｂページのＵＲＬを例えば電子メールでユーザ端末２０２により送信し、受給者が、受給者端末２０３でこれを受信する（Ａ４０１）。そして、受給者が受給者端末２０３によりユーザ管理装置１に接続し、名刺情報提供用のＷｅｂページを開くと（Ａ４０２）、ユーザ管理装置１は、名刺情報提供処理２１２を実行し、受給者端末２０３から特定ユーザの名刺情報についての名刺ＩＤ及び名刺用パスワードを入力するとともに、名刺情報の出力方法及びそれに必要な情報を入力する（Ａ４０３）。本例では出力方法として電子メールで送信出力する方法が指定されたものとすると、ユーザ管理装置１は、指定された電子メールアドレス宛てに名刺情報とともにアクセス情報及び登録案内情報を含む電子メールを送信し（Ａ４０４）、名刺情報提供処理２１２を終了する。その後（同図中、二点鎖線で囲んだＡ１０６〜Ａ１０９の部分）については、第一実施形態における第一の動作例と同様である（第一実施形態における紹介者端末２及び被紹介者端末３が、それぞれ本例におけるユーザ端末２０２及び受給者端末２０３に対応）。
【００７９】
以上のように構成された本発明によれば、第一実施形態と同様の効果に加え、次の効果を奏する。
【００８０】
（ａ）受給者に対し、特定ユーザの名刺情報とともにアクセス情報及び登録情報を提供するように構成しているので、該受給者がユーザとして登録を受けることに興味を持つと、該アクセス情報を利用して簡単に登録窓口へたどり着くことができる。これによりスムーズにユーザを獲得することができる。
【００８１】
（ｂ）また、受給者が登録を受ける登録窓口にアクセスするためのアクセス情報は、間接的な紹介者である特定ユーザの本人ＩＤ又はそれを含むユーザＩＤに関連づけられているので、後で受給者が登録窓口にアクセス情報を使用してアクセスし、ユーザ登録をしたときに、その紹介者を確実に特定することができる。
【００８２】
なお、本発明は前記実施形態に限定されるものではなく、発明の趣旨から逸脱しない範囲で適宜変更して具体化することもできる。
（１）ユーザ管理装置１の機能と商取引装置４の機能とを１つの装置に備えさせること。
（２）謝礼の提供方法を金銭の振り込みに代えて、又は振り込みとともに、商品、サービス、又はこれらと交換可能な特典ポイント等の他の利益を提供するようにするなど適宜変更すること。
【００８３】
【発明の効果】
本発明のユーザ管理装置、ユーザ管理プログラム、及び該プログラムを記録したコンピュータ読み取り可能な記録媒体によれば、ユーザの本来の紹介者を確実に特定することができるという優れた効果を奏する。
【図面の簡単な説明】
【図１】本発明の第一実施形態に係るユーザ管理装置を含むネットワーク構成図である。
【図２】同ユーザ管理装置で使用するユーザＩＤの構成を示す図である。
【図３】同ユーザ管理装置に接続される紹介者端末及び被紹介者端末の構成を示すブロック図である。
【図４】同ユーザ管理装置の構成を示すブロック図である。
【図５】同ユーザ管理装置の紹介受付処理の流れを示すフローチャートである。
【図６】同ユーザ管理装置の自己紹介受付処理の流れを示すフローチャートである。
【図７】同ユーザ管理装置の登録受付処理の流れを示すフローチャートである。
【図８】同ユーザ管理装置の謝礼提供処理の流れを示すフローチャートである。
【図９】同ユーザ管理装置の第一の動作例を示す図である。
【図１０】同ユーザ管理装置の第二の動作例を示す図である。
【図１１】同ユーザ管理装置の第三の動作例を示す図である。
【図１２】同ユーザ管理装置の第四の動作例を示す図である。
【図１３】本発明の第二実施形態に係るユーザ管理装置を含むネットワーク構成図である。
【図１４】同ユーザ管理装置の構成を示すブロック図である。
【図１５】同ユーザ管理装置の名刺情報提供処理の流れを示すフローチャートである。
【図１６】同ユーザ管理装置の動作例を示す図である。
【符号の説明】
１　　ユーザ管理装置
２　　紹介者端末
３　　被紹介者端末
６　　インターネット
８　　ユーザＩＤ
８ａ　本人ＩＤ
８ｂ　紹介者ＩＤ
２０　　紹介受付処理
２１　　自己紹介受付処理
２２　　登録受付処理
２３　　謝礼提供処理
３０　　ユーザＩＤ管理ＤＢ
２０１　　ユーザ管理装置
２０２　　ユーザ端末
２０３　　受給者端末
２１２　　名刺情報提供処理
【図１】
2004005560.tif 000003
【図２】
2004005560.tif 000004
【図３】
2004005560.tif 000005
【図４】
2004005560.tif 000006
【図５】
2004005560.tif 000007
【図６】
2004005560.tif 000008
【図７】
2004005560.tif 000009
【図８】
2004005560.tif 000010
【図９】
2004005560.tif 000011
【図１０】
2004005560.tif 000012
【図１１】
2004005560.tif 000013
【図１２】
2004005560.tif 000014
【図１３】
2004005560.tif 000015
【図１４】
2004005560.tif 000016
【図１５】
2004005560.tif 000017
【図１６】
2004005560.tif 000018